(57)【特許請求の範囲】
【請求項１】
光学読取り式のカードのデータを読み取る読取部を有し、
読み取ったデータに基づいた券を発行する発券機において、
複数枚のカードが挿入可能な第１の挿入口と、
カードを読取部へ搬送する第１の搬送路と、
該第１の挿入口から挿入されたカードを滞留する滞留部と、
該滞留部で滞留されているカードを順次該第１の搬送路へ送出する繰り出し部と、
該第１の挿入口とは別に設けられた第２の挿入口と、
該第２の挿入口から挿入されたカードを搬送する第２の搬送路を有することを特徴とする発券機。
【発明の詳細な説明】
【０００１】
【産業上の利用分野】
本発明は、光学読取りカードの記入事項に基づいて券を発券する発券機に係り、特に競馬、競輪、オートレース等の公営競技場において、投票データ入力の簡略化を図るために適用される光学読取り式投票カードの記載事項に基づいて投票券を発券する発券機に関するものである。
【０００２】
【従来の技術】
投票券購入申込みは、投票者が購入窓口にてオペレータに口頭で希望とする投票対象や購入金額を伝える方法があるが、前もって投票希望者が所定の投票カードに投票対象や購入金額を記入しておき、窓口でその投票カードを発券機に読み取らせることにより投票券を発行する方法が普及している。
【０００３】
図６は従来技術における投票券発券機の構成図である。
以下、図６の各部の構成を説明する。
１０１は投票カードを挿入する挿入口である。
１０２は挿入されたカードを搬送する搬送路である。
１０３は投票カードを読み取り、投票券発行部１２１にその読み取ったデータを送信する読取部である。
【０００４】
１０４はローラ１０５及びローラ１０６を駆動させる搬送モータである。
１０５及び１０６は投票カードを搬送するローラである。
１０７は投票カードの挿入を検出するセンサである。
１０８及び１０９は投票カードの通過を検出するセンサである。
１２１は投票券の発行、並びに上記各部に対して制御信号を送る投票券発行部である。
【０００５】
１２２はキーにより投票データや制御情報を入力するキーボードである。
１２３は投票券発行部１２１に対し、キーボード１２２から入力されたデータに基づいた投票券の発券指示を与える発券キーである。
１２４はキーボード１２２及び読取部１０３から入力された投票データの消去指示を与える消去キーである。
【０００６】
図７は従来技術における、投票券読み取り手順を示すフローチャートである。以下、各処理Ｓ１０１〜Ｓ１１８を説明する。
Ｓ１０１  センサ１０７が投票券の挿入を監視しており、オペレータが投票カードを挿入口１０１に挿入すると、それを検出しＳ１０２の処理へ進む。検出されなければ監視を続ける。なお、挿入できるカードは１枚ずつである。
Ｓ１０２  挿入シャッタ１１０が開き、投票カードの取り込みが許可される。
Ｓ１０３  搬送モータ１０４がオンし、ローラ１０５及びローラ１０６が駆動する。これにより投票カードが搬送路１０２上を読取部１０３へと搬送される。
Ｓ１０４  センサ１０８が投票カードの通過を検出するとＳ１０５の処理へ進む。通過が検出されるまでＳ１０５の処理へは進まない。
Ｓ１０５  挿入シャッタ１０５が閉じ、投票カードの挿入が禁止される。
Ｓ１０６  読取部１０３が投票カードに記入されたデータを読み取る。
Ｓ１０７  センサ１０９がカードの通過を検出すればＳ１０８の処理を行う。通過が検出されるまでＳ１０８の処理へは進まない。
Ｓ１０８  搬送モータ１０４がオフし、ローラ１０５及びローラ１０６の駆動が停止する。
Ｓ１０９  読み取ったデータを投票券発行部１２１へ送信する。
Ｓ１１０  読み取ったデータがチェックされ、エラーが検出されなければＳ１１１の処理を行い、エラーが検出されればＳ１１２の処理へ進む。
Ｓ１１１  読み取ったデータに基づく投票券が発行され、挿入されたカードに対する発券処理が終了する。
Ｓ１１２  エラー対処モードに入る。エラー対処策としては２通りあり、どちらを選択するかはオペレータの判断である。
【０００７】
先ず、キーボード１２２から修正データを入力したほうが良いと判断した場合は、以下の通りの処理を行う。
Ｓ１１３  キーボード１２２から修正データが入力される。
Ｓ１１４  発券キー１２３の押下により、キーボード１２２から入力されたデータが投票券発行部１２１へ送信され、Ｓ１０９の処理に戻る。
【０００８】
投票カードを修正して、再入力したほうが良いと判断した場合は、以下の通りの処理を行う。
Ｓ１１５  読み取られたデータを消去する消去キー１２４を押下する。
Ｓ１１６  読み取られたデータが消去され処理が終了する。尚、修正したデータを入力するには、新規に投票カードに記入して再び挿入口１０１に挿入することになる。
【０００９】
【発明が解決しようとする課題】
従来の発券機では、オペレータは一人の投票者から複数の投票カードを手渡されても、投票カードを１枚ずつしか発券機に挿入できないため、投票券が発行されるまで次の投票カードが挿入できず、全ての投票カードに対する投票券が発行されるまでに多大な時間を要することになり、窓口業務の効率の低下を招く要因となっていた。
【００１０】
そこで、複数の投票カードを一括挿入し、１枚ずつ連続的に読み取らせるような発券機が必要とされてきた。しかし、このような発券機でも、連続読取り処理の途中で読取りエラーが発生した場合、投票カードを修正する時間分だけ、読取り処理が停止することになり、エラー発生による発券作業の遅れには対処できない。
【００１１】
本発明では、発券窓口における発券処理の効率化を達成するため、複数の投票カードの連続的な読取り処理ができる発券機を提供することを目的とする。
更に、エラーが発生したとしても、適切な対処策がとれることにより、エラー発生の影響を受けにくい発券機を提供することを他の目的とする。
【００１２】
【課題を解決するための手段】
図１は本発明の原理図である。
以下、図１の各部を説明する
１は第１の挿入口である。
２は後述の読取部５へカードを搬送する第１の搬送路である。
【００１３】
３は第１の挿入口１から挿入されたカードを滞留する滞留部である。
４は滞留部３で滞留されているカードを順次第１の搬送路２へ送出する繰り出し部である。
５はカードに記入された情報を読み取る読取り部である。
６は第１の挿入口１とは別に設けられた第２の挿入口である。
【００１４】
７は第２の挿入口６から挿入されカードを搬送する第２の搬送路である。
図２は、本発明におけるカード読み取り手順を示す図であり、以下、Ｓ１からＳ９の各処理について説明する。
Ｓ１  通常は挿入口１が有効状態になっており、挿入口１にカードを挿入する。挿入口１から挿入されたカードは滞留部３に滞留される。
Ｓ２  繰り出し部４が、滞留部３のカードを繰り出す。
Ｓ３  読取部５が送出されたカードに記入された情報を読み取る。（データが入力される。）
Ｓ４  読み取った情報にエラーがあるかどうか確認し、なければＳ５の処理に行い。あればＳ６の処理を行う。
Ｓ５  有効な挿入口を第２の挿入口６に変更する指示（割り込み指示）があるかどうか確認する。あればＳ６の処理を行い、なければＳ２の処理に戻り、残りのカードの繰り出を行う。
Ｓ６  第２の挿入口が有効となり、第２の挿入口からカードを挿入することができる。
Ｓ７  エラーを直ちに修正するかどうか判断する。直ちに修正すると判断した場合はＳ８の処理を行い、直ちに修正しなくてもよいと判断した場合はＳ９の処理を行う。（有効な挿入口を第１の挿入口に戻す。）
Ｓ８  エラーの修正を行う。エラーの修正は、修正されたカードを第２の挿入口に挿入して読取部５で読み取るか、或いは他の入力手段（例えばキーボード等）から訂正データを入力することにより行う。
Ｓ９  データが消去され、Ｓ１の処理に戻る。
【００１５】
【作用】
本発明では、複数枚の投票カードを挿入できる第１の挿入口及びカードを順次
繰り出すための繰り出し部４を設けたことにより、複数のカードに対する連続的
な読み取り処理が可能となる。
また、第１の挿入口とは別に第２の挿入口を設け、読み取りエラー発生時は第２の挿入口を有効とすることにより、修正されたカードを第２の挿入口から挿入し、滞留部のカードより優先的に読み込ませることができる。なお、修正データはキーボードからでも優先的に入力することができる。
【００１６】
また、割り込み入力手段を設けたことにより、読み取りエラー発生時でなくて
も、第２の挿入口を有効にすることができ、任意のカードを第２の挿入口に挿入
して、滞留部のカードより優先的に読み込ませることができる。
更に、読み取りエラー発生時、有効な挿入口を第２の挿入口から第１の挿入口
へ戻す指示を与える入力手段を設けたことにより、修正データを入力しなくても
読み取り処理を再開することができ、カードの修正と読み取り処理を並行して行
うことが出来る。
【００１７】
【実施例】
以下、本発明の実施例について説明する。本実施例においては投票券の発行を例にとって説明する。
図３は本発明の発券機の全体図である。
２４は表示部であり、投票に関するデータエラー情報を表示する。
【００１８】
２５はキーボードであり、投票データや制御情報を入力する。
２１は投票カードに記入された投票データを読み取る投票カード読取部である。
２２は投票券発行部であり、投票カード読取部２１或いはキーボード２５から送信された投票データのエラーチェック及び投票データに基づいた投票券を発行する。また、キーボード２５からの制御情報やエラーチェックの結果に基づいた制御信号を投票カード読取部２１に与える。
【００１９】
２３はホスト計算機であり、投票データの集計を行う。また投票データの最終的なチェックも行っている。
図４は図３に示した発券機の投票カード読取部の構成を示す図である。以下、図４に示した各部を説明する。なお、既に説明した部分に対応する部分には同一の番号を付し、説明を省略する。
【００２０】
９は第１のセンサであり、滞留部３の投票カードの有無を確認するものである。
１０は第２のセンサであり、第２の搬送路の投票カードの有無を確認するものである。
１１は第３のセンサであり、投票カードの通過を確認するものである。
【００２１】
１２は第４のセンサであり、センサ１１同様、投票カードの通過を確認するものである。
１３は第１の搬送ローラであり、第１の挿入口１、及び第２の挿入口６から挿入された投票カードを読取部５へ搬送するものである。
１４は第２の搬送ローラであり、読取部５でデータを読み取られた投票カードを排出口へ導くものである。
【００２２】
１５は繰り出しモータであり、繰り出しローラ４を駆動するものである。
１６は搬送モータであり、搬送ローラ１３及び搬送ローラ１４を駆動するものである。
１７は挿入シャッタであり、第２の搬送路７を遮断するものである。
２６は割り込みキーであり、第１の挿入口から挿入され投票カードの読取り動作に割り込みをかけるものである。
【００２３】
２７は発券キーであり、キーボード２５より入力された投票データに基づく投票券の発券指示を出すものである。
２８は消去キーであり、読取部５が読み取ったデータの消去指示を与えるものである。
図５は、本発明の実施例における発券機の動作を示す図である。以下、各処理手順Ｓ２１〜Ｓ４５の説明を行う。
Ｓ２１  センサ９は滞留部３に投票カードの存在を監視している。投票カードが挿入されると、繰り出しローラ３と第１の搬送路に挟まれ固定される。センサ９は投票カードの存在を検出しＳ２２の処理を行うが、検出されなければ投票カードの挿入待ち状態のままである。
Ｓ２２  繰り出しモータ１５及び搬送モータ１６がオンし、繰り出しローラ４及び搬送ローラ１３，１４が駆動する。これにより投票カードが一枚繰り出され、第１の搬送路２上を読取部５へと搬送される。
Ｓ２３  投票カードは読取部５へ搬送される途中、センサ１１を通過する。センサ１１は投票カードの通過を監視しており、投票カードの通過を感知するとＳ２４の処理を行う。
Ｓ２４  繰り出しモータ１５はオフし、繰り出しローラ４の駆動が停止する。
Ｓ２５  投票カードが読取部５に到達し、投票カードに記入されたデータの読取り（光学マークの読取り）が行われる。
Ｓ２６  データの読取りが終了すると、投票カードは搬送ローラ１４により排出口へと搬送されが、途中、センサ１２を通過する。センサ１２が投票カードの通過を感知するとＳ２７の処理を行う。
Ｓ２７  搬送モータ１６がオフし、搬送ローラ１３及搬送ローラ１４の駆動が停止する。
Ｓ２８  読取部５は、読み取った投票データを投票券発行部２２へ送信すると共に、表示部２４に読み取ったデータを表示させる。
Ｓ２９  投票券発行部２２が投票データのエラーチェックを行う。なお、エラーチェックは投票券発行部２２だけでなくホスト計算機２３でも行っており、投票券発行部２２においてエラーが検出されなかった場合は、ホスト計算機２３で最終的なエラーチェックを行う。ホスト計算機２３でもエラーが検出されなかったらＳ３０の処理を、検出されたらＳ３１の処理を行う。
Ｓ３０  ホスト計算機２３から投票券発行部２２に対し発券指示が出され、これにより投票券発行起動がかかる。
Ｓ３２  割り込みキー２６の押下を検出すれば、Ｓ３３の処理を行い、検出しなければ、Ｓ４５の処理を行う。割り込みキー２６は、滞留部３の投票カードよりも優先して読み取らせたい投票カードがある場合に押下される。
Ｓ３１  ホスト計算機２３或いは投票券発行部２２は投票カード読取部２１に対しエラー修正の指示を出すとともに、表示部２４にエラーメッセージを表示させる。
Ｓ３３  挿入シャッタ１７が開き、第２の挿入口６からの投票カードの挿入が可能となる。これによりエラー対処モードに入る。
Ｓ３４  本実施例におけるエラー対処は、以下に説明するように３通りの方法がとられ、どの方法をとるかはオペーレータの判断とする。
【００２４】
先ず、第１のエラー対処方法について説明する。
Ｓ３５  読み取ったデータのエラーが軽微なもの（例えば、競馬の投票におけるレース番号未記入や場名未記入等）で、投票カードをその場で修正して、再度読み取った方が良いと判断した場合、オペレータはエラーが確認された投票カードのエラー箇所を修正し、第２の挿入口６から第２の搬送路７へ挿入する。
Ｓ３６  センサ１０は第２の挿入口６からの投票カードの挿入を監視しており、投票カードの挿入を確認したらＳ３７の処理を行う。
Ｓ３７  搬送モータ１６がオンし、ローラ１３及びローラ１４が駆動する。ローラ１３の駆動により投票カードは、第１の搬送路上を読取部５へと搬送される。
Ｓ３８  投票カードが読取部５へ搬送される途中、センサ１１を通過する。センサ１１は投票カードの通過を監視しており、投票カードの通過を感知するとＳ３９の処理を行う。
Ｓ３９  挿入シャッタ１７が閉まり、第２の挿入口６からの投票カード挿入が禁止される。
【００２５】
読取部５に到達すると、Ｓ２５以降の処理が再度行われる。
投票カードを修正したとしても、第１の挿入口１は残りの投票カードによって塞がれている。従って、残りの投票カードに対する読取り動作が完了してからでないと挿入できず、特に、修正された投票カードが投票締め切り時間の迫ったものであれば投票券を購入できない恐れがある。しかし、第１のエラー対処方法によれば、第２の挿入口を設けたことにより、ここから挿入させて、優先的に読み取らせることができるため、急ぎの投票であっても、締め切り時間に間に合わせることが可能になる。
【００２６】
次に、第２のエラー対処方法について説明する。
Ｓ４０  投票データの入力は、投票カードからだけでなく、キーボード２５からでも入力できる。エラーの発生原因が記入事項の誤り（競馬における投票であれば、間違えて発売のないレース番号を指定してしまったり、出走しない馬に対して投票しようとした場合）であれば、誤った記入事項を消す必要があるが、ボールペンやインクで記入されていれば消すことはできない。そのため、たとえエラー箇所が少なかったとしても、新たな投票カードに書き直しをしなければならない。そこで、キー入力により投票データをその場で訂正した方がよいと判断した場合、オペレータはキーボード２５を用いてデータを修正する。
Ｓ４１  入力が終了したらキーボード２５に設けられている発券キー２７を押下する。
Ｓ４２  挿入シャッタ１７が閉じ、Ｓ２８以降の処理が再度行われる。
【００２７】
このように、第２のエラー対処方法では、キーボードを設けたことにより、エラーを発生させた投票カードに修正を加えることが不可能な場合でも、新たな投票カードに書き直すことなく修正データの入力が素早く行える。
最後に、第３のエラー対処方法について説明する。
Ｓ４３  読み取ったデータのエラー箇所が多い場合やカードの破損又は汚れなどでデータが読めなかった場合、投票カードの修正やキーによる投票データ入力には多大な時間が要する。このようなとき、オペレータはキーボード２５に設けられている消去キー２８を押下する。
Ｓ４４  消去キー２８を押下することによって読み取られたデータが消去される。これより、エラー対処モードが解除され、挿入シャッタ１７が閉じる。
Ｓ４５  滞留部３に投票カードが残っているかどうか確認する。残っていない場合、挿入された全投票カードに対する読取り動作は終了する。残っている場合は、Ｓ２２以降の処理に戻る。
【００２８】
残っている投票カードの読取り動作の間、オペレータは投票カードの書き直しを行っている。
投票カードの書き直しが終わると、オペレータは滞留部３の全ての投票カードの読取りの完了を待って、書き直された投票カードを第１の挿入口に挿入することにより投票データを入力してもよいが、割り込みキー２６を押下することにより、滞留部３の投票カードの読取り動作に割り込みをかけ、書き直された投票カードの方を優先的に読み取らせることができる。
【００２９】
割り込みキー２６の押下は、Ｓ３２の処理で確認される。押下を確認すると、Ｓ３３以降のエラー対処モードに入り、オペレータは第２の挿入口６から書き直された投票カードを挿入する。以降の動作は、既に説明したＳ３６以降の処理と同様である。
エラーが発生した場合、投票カードやキー入力により修正データが入力されない限り読取り動作は停止したままである。従って、エラーデータの修正に多大な時間を要する場合、発券が大幅に遅れる原因となる。
【００３０】
しかし、第３のエラー対処方法によると、消去キーを設けたことにより、修正データが入力されなくても読取り動作を再開させることが可能であり、投票カードの修正を読取り動作と並行して行えるため効率がよい。
また、割り込みキーを設けたことにより、投票カードの修正が終了した時点で、修正された投票カードを他の投票カードに優先して読み込ませることができるため、急を要する場合に有効である。
【００３１】
上記の実施例では第１の挿入口１から挿入した投票カードにエラーが発生したことをキーにして第２の挿入口６の挿入シャッタ１７を開いていたが、その他の実施例として、割り込みキー２６を押下することで投票カードの挿入を有効する挿入口を第１の挿入口１から第２の挿入口６に変更する、つまり割り込みキー２６の押下に応じて挿入シャッタ１７を開くことにより、投票締め切り時間の迫った投票についても第２の挿入口６からの挿入して処理する、所謂追加処理を実現することも可能であり、これによって、更成るお客に対するサービスの向上を実現することができる。
【００３２】
【発明の効果】
本発明においては、複数枚の投票カードが挿入可能となり、更に、挿入された複数のカードを連続的な繰り出しが可能である。これにより、一度に多数の投票カードの発券処理が行えるようになり、オペレータが一枚ずつ投票カードを挿入する必要がなく、窓口効率の向上と、オペレータの負荷軽減が図れる。
【００３３】
また、発券処理の途中に読取りエラーが生じても、複数のエラー対処策が用意されているため、エラー原因やエラーの程度あるいは投票カードの優先度等を考慮し、状況に応じた最適な対応をとることができる。これにより、エラー修正の時間を短縮できる上、エラーによってお客が投票券を購入できなかったという事態を極力抑えることができ、信頼性の向上が図れる。
【図面の簡単な説明】
【図１】本発明の原理図である。
【図２】本発明におけるカード読み取り手順を示す図である。
【図３】本発明の実施例における発券機の構成を示す図である。
【図４】本発明の実施例における投票カード読取部の構成図である。
【図５】本発明の実施例における発券機の動作を示す図である。
【図６】従来技術を示す図である。
【図７】従来技術における投票カード読み取り手順を示す図である。
【符号の説明】
１・・・第１の挿入口
２・・・第１の搬送路
３・・・滞留部
４・・・繰り出し部
５・・・読取部
６・・・第２の挿入口
７・・・第２の搬送路
【図１】
0003579466.tif 000002
【図２】
0003579466.tif 000003
【図３】
0003579466.tif 000004
【図４】
0003579466.tif 000005
【図５】
0003579466.tif 000006
【図６】
0003579466.tif 000007
【図７】
0003579466.tif 000008